(57)【要約】【課題】二重に垂下されるスクリーン同士の擦れを防止しながら、巻取軸の巻径の変化に関わらずスクリーンの間隔を一定に維持し得るロールブラインドを提供する。【解決手段】巻取軸３から垂下されるスクリーン５の端部を巻取軸３の近傍に保持して該スクリーン５を二重とした状態で垂下し、巻取軸３の回転に基づいてスクリーン５を昇降するロールブラインドにおいて、巻取軸３と平行にサポートパイプ４を配設し、スクリーン５を巻取軸３からサポートパイプ４を経て垂下し、スクリーン５の端部をサポートパイプ４の下方に保持した保持部材９から垂下した。【選択図】図３
2011132788.tif 000002
【特許請求の範囲】
【請求項１】
巻取軸から垂下されるスクリーンの端部を巻取軸の近傍に保持して該スクリーンを二重とした状態で垂下し、前記巻取軸の回転に基づいて前記スクリーンを昇降するロールブラインドにおいて、
前記巻取軸と平行にサポートパイプを配設し、前記スクリーンを前記巻取軸から前記サポートパイプを経て垂下し、前記スクリーンの端部を前記サポートパイプの下方から垂下したことを特徴とするロールブラインド。
【請求項２】
前記スクリーンの端部を、前記サポートパイプの下方に保持した保持部材から垂下したことを特徴とする請求項１記載のロールブラインド。
【請求項３】
前記サポートパイプから垂下されるスクリーンと、前記保持部材から垂下されるスクリーンとの間に該スクリーンが擦れあわない間隔を設けたことを特徴とする請求項２記載のロールブラインド。
【請求項４】
前記スクリーンの無端縁にボトムパイプを挿通し、前記ボトムパイプの両端にボトムレールを吊下支持し、前記ボトムパイプの径を前記スクリーンが平行に垂下される径としたことを特徴とする請求項１乃至３のいずれか１項に記載のロールブラインド。
【請求項５】
前記巻取軸の両端を回転可能に支持する支持ブラケットに前記サポートパイプを回転可能に支持し、前記保持部材を前記支持ブラケットで保持したことを特徴とする請求項２又は３に記載のロールブラインド。
【請求項６】
前記保持部材を、前記支持ブラケットから前記サポートパイプの中心を回動中心として回動可能に支持したことを特徴とする請求項５記載のロールブラインド。
【請求項７】
前記スクリーンには、遮光部と半透過部とを交互に横縞状に設けたことを特徴とする請求項１乃至６のいずれか１項に記載のロールブラインド。
【発明の詳細な説明】
【技術分野】
【０００１】
この発明は、スクリーンを重ね合わせた状態で垂下し、かつ昇降可能としたロールブラインドに関するものである。
【背景技術】
【０００２】
従来、二重に重ね合わせたスクリーンを上下方向に相対移動させて室内への採光量を調節可能としたロールブラインドが提案されている。このロールブラインドのスクリーンは、遮光性を備えたドレープ生地等の遮光部と、光を一部透過可能とした生地等の半透過部が上下方向に交互に形成されている。そして、前後方向に重ね合わせたスクリーンを上下方向に相対移動させて遮光部と半透過部との重なり度合いを調節することにより、採光量を調節可能となっている。
【先行技術文献】
【特許文献】
【０００３】
【特許文献１】特許第４２８０７３３号
【発明の概要】
【発明が解決しようとする課題】
【０００４】
上記のようなロールブラインドでは、重ね合わせたスクリーンの間隔が大きくなると、スクリーンの遮光部で半透過部を覆うように前後のスクリーンを相対移動させても、スクリーンの間隙から光がもれて、遮光性が低下する。
【０００５】
特許文献１に記載されたロールブラインドでは、巻取りロッドからスクリーンを巻戻すと、巻取りロッドへのスクリーンの巻径が小さくなるため、前後に吊下支持されるスクリーンの上部の間隙が増大する。従って、巻取りロッドからスクリーンを巻戻すにつれて、スクリーンの上部の遮光性が低下する。
【０００６】
この発明の目的は、巻取軸へのスクリーンの巻径の変化に関わらず、二重に垂下されるスクリーンの間隔を一定に維持し得るロールブラインドを提供することにある。
【課題を解決するための手段】
【０００７】
請求項１では、巻取軸から垂下されるスクリーンの端部を巻取軸の近傍に保持して該スクリーンを二重とした状態で垂下し、前記巻取軸の回転に基づいて前記スクリーンを昇降するロールブラインドにおいて、前記巻取軸と平行にサポートパイプを配設し、前記スクリーンを前記巻取軸から前記サポートパイプを経て垂下し、前記スクリーンの端部を前記サポートパイプの下方から垂下した。
【０００８】
請求項２では、前記スクリーンの端部を、前記サポートパイプの下方に保持した保持部材から垂下した。
請求項３では、前記サポートパイプから垂下されるスクリーンと、前記保持部材から垂下されるスクリーンとの間に該スクリーンが擦れあわない間隔を設けた。
【０００９】
請求項４では、前記スクリーンの無端縁にボトムパイプを挿通し、前記ボトムパイプの両端にボトムレールを吊下支持し、前記ボトムパイプの径を前記スクリーンが平行に垂下される径とした。
【００１０】
請求項５では、前記巻取軸の両端を回転可能に支持する支持ブラケットに前記サポートパイプを回転可能に支持し、前記保持部材を前記支持ブラケットで保持した。
請求項６では、前記保持部材を、前記支持ブラケットから前記サポートパイプの中心を回動中心として回動可能に支持した。
【００１１】
請求項７では、前記スクリーンには、遮光部と半透過部とを交互に横縞状に設けた。
【発明の効果】
【００１２】
本発明によれば、巻取軸の巻径の変化に関わらず、二重に垂下されるスクリーンの間隔を一定に維持し得るロールブラインドを提供することができる。
【図面の簡単な説明】
【００１３】
【図１】ロールブラインドを示す斜視図である。
【図２】ロールブラインドを示す斜視図である。
【図３】ロールブラインドを示す側面図である。
【図４】ウェイトバー押さえを示す斜視図である。
【図５】サポートパイプを示す断面図である。
【図６】ボトムレールを示す断面図である。
【図７】取付面に取着したロールブラインドを示す側面図である。
【図８】取付面に取着したロールブラインドを示す側面図である。
【図９】取付面に取着したロールブラインドを示す側面図である。
【発明を実施するための形態】
【００１４】
以下、この発明を具体化した一実施形態を図面に従って説明する。図１〜図３に示すロールブラインドは、フレーム１の両端部に取着された支持ブラケット２ａ，２ｂ間に巻取軸３が回転可能に支持されている。
【００１５】
前記支持ブラケット２ａ，２ｂ間には、前記巻取軸３の後方斜め上方においてサポートパイプ４が回転可能に支持されている。前記巻取軸３にはスクリーン５が巻着され、そのスクリーン５は、図３に示すように、前記サポートパイプ４を経て下方へ垂下される。
【００１６】
前記支持ブラケット２ａにはプーリー６が回転可能に支持され、そのプーリー６には無端状のボールチェーン７が掛装されている。そして、ボールチェーン７を操作してプーリー６を回転操作することにより、前記巻取軸３がスクリーン５の巻取り方向あるいは巻き戻し方向に回転される。
【００１７】
前記スクリーン５は、光を透過させない遮光部８ａと、光を一部透過させる半透過部８ｂとが同一幅で横縞状に交互に形成される。
前記サポートパイプ４を経て垂下されるスクリーン５の端部にはウェイトバー９が取着され、そのウェイトバー９の両端部が前記支持ブラケット２ａ，２ｂにそれぞれ取着されたウェイトバー押さえ１０に保持されている。そして、前記サポートパイプ４とウェイトバー９との間に垂下されるスクリーン５の無端縁にはボトムレール１１が掛装されている。
【００１８】
図４に示す前記ウェイトバー押さえ１０は、その上部に設けられた支軸部１２の中心に前記支持ブラケット２ａ，２ｂの外側面からネジ１３が螺入され、そのネジ１３を回動支点として支持ブラケット２ａ，２ｂに回動可能に支持される。（図１及び図２参照）。従って、支持ブラケット２ａ，２ｂの取付角度に関わらず、ウェイトバー押さえ１０は常にサポートパイプの下方に垂下される。
【００１９】
前記サポートパイプ４は、図５に示すように、前記ウェイトバー押さえ１０の支軸部１２に回転可能に支持されている。
前記ウェイトバー押さえ１０の下端部には、前記ウェイトバー９の端部を保持可能とした支持片１４が形成されている。そして、前記サポートパイプ４から垂下されるスクリーン５の室内側でウェイトバー９の両端部を支持片１４に載せ、ウェイトバー押さえ１０の外側面側からネジ１５をウェイトバー９に螺入することにより、ウェイトバー９をウェイトバー押さえ１０間に固定可能となっている。
【００２０】
前記ボトムレール１１は上方を開口した枠体であり、その両端部にキャップ１６が取着されている。そして、前記キャップ１６間にボトムパイプ１７が回転可能に支持されている。詳細には、図６に示すように、前記ボトムパイプ１７の両端に軸部１８が嵌着され、その軸部１８が前記キャップ１６の軸受け孔１９に回転可能に支持されている。
【００２１】
前記スクリーン５は、前記ボトムパイプ１７とボトムレール１１との間に挿通されている。そして、スクリーン５が巻取軸３に巻き取られると、ボトムパイプ１７が回転しながらボトムレール１１が引き上げられ、スクリーン５が巻取軸３から巻戻されると、ボトムパイプ１７が回転しながらボトムレール１１が下降するようになっている。
【００２２】
前記ボトムパイプ１７の径は、前記サポートパイプ４及びウェイトバー９とボトムパイプ１７との間でスクリーン５が平行に張設される径となっている。
前記軸部１８には、前記ボトムパイプ１７の両端部に近接するフランジ２０が設けられ、ボトムパイプ１７の軸方向へのスクリーン５の横ずれが防止される。
【００２３】
次に、上記のように構成されたロールブラインドの動作を説明する。ボールチェーン７を操作して、巻取軸３をスクリーン５の巻取り方向に回転させると、スクリーン５がサポートパイプ４を経て巻取軸３に巻き取られ、ボトムレール１１が引き上げられる。
【００２４】
また、巻取軸３をスクリーン５の巻戻し方向に回転させると、ボトムレール１１及びスクリーン５の重量に基づいてスクリーン５が巻取軸３からサポートパイプ４を経て巻戻され、ボトムレール１１が下降する。
【００２５】
スクリーン５の昇降動作時に、前後に垂下されるスクリーン５の遮光部８ａと半透過部８ｂが重なる状態となると、スクリーン５は遮光状態となる。また、前後に垂下されるスクリーン５の遮光部８ａが重なる状態となると、各遮光部８ａ間の半透過部８ｂから外光を採り入れ可能となる。
【００２６】
このロールブラインドでは、ウェイトバー押さえ１０が支持ブラケット２ａ，２ｂに回動可能に支持されているので、フレーム１を固定する取付面の角度が異なる場合にも、常にウェイトバー９がサポートパイプ４の下方に垂下され、スクリーン５を同様な条件で吊下支持することができる。
【００２７】
図７は、フレーム１を天井面等の水平面を取付面２１として取着する場合である。図８は、フレーム１を傾斜した天井面等を取付面２１として取着する場合であり、図９はフレーム１を壁面等の垂直面を取付面２１として取着する場合を示す。いずれの場合にも、ウェイトバー９がサポートパイプ４の下方に垂下されるので、スクリーン５をウェイトバー９の側面に当接させることなく、スクリーン５をサポートパイプ４とウェイトバー９から等間隔で吊下支持する状態とすることができる。
【００２８】
上記のように構成されたロールブラインドでは、次に示す作用効果を得ることができる。
（１）スクリーン５を昇降して、遮光部８ａと半透過部８ｂの重なり具合を調節することにより、外光を適宜に採り入れることができる。
（２）スクリーン５の昇降時に、巻取軸３へのスクリーン５の巻径が変化しても、二重に垂下されるスクリーン５の間隔が変化することはない。従って、スクリーン５の下降操作時に、スクリーン５の上部で遮光性が低下することはない。
（３）スクリーン５の昇降時に、二重に垂下されるスクリーン５を常に平行に維持することができる。従って、スクリーン５の下降操作時にスクリーン５の間隔の増大により遮光性が低下することはない。
（４）スクリーン５の昇降操作時に、スクリーン５同士が擦れあうことはない。従って、スクリーン５の磨耗を防止することができる。
（５）ボトムレール１１にボトムパイプ１７を備え、そのボトムパイプ１７にスクリーン５を掛装したので、必要な重量をボトムレール１１で確保することができる。従って、ボトムパイプ１７で重量を確保する必要がないので、ボトムパイプ１７の径を小さくして、二重に垂下されるスクリーン５の間隔を小さく設定することも容易である。
（６）ウェイトバー押さえ１０を支持ブラケット２ａ，２ｂに回動可能に支持したので、フレーム１を任意の取付面２１に取り付けても、常にウェイトバー９をサポートパイプの下方に位置させて、サポートパイプ４及びウェイトバー９からスクリーン５を同様な条件で吊下支持することができる。
（７）ウェイトバー押さえ１０に設けた支持片１４により、ウェイトバー９をウェイトバー押さえ１０に取り付ける作業を容易に行うことができる。
【００２９】
上記実施形態は、以下の態様で実施してもよい。
・二重に垂下されるスクリーン５を平行としなくてもよい。例えば、図３に示す構成よりボトムパイプ１７の径を大きして、スクリーン５の間隔が下方に向かって僅かに広がるようにしてもよい。
・例えば、図３に示す構成よりボトムパイプ１７の径を小さくして、スクリーン５の間隔が上方に向かって僅かに広がるようにしてもよい。
・スクリーン５の端部を取着したウェイトバー９を、ウェイトバー押さえ１０で保持する構成としたが、スクリーン５の端部を支持ブラケット２ａ，２ｂ間に保持できれば、ウェイトバー９を使用する必要はない。
・ウェイトバー９をウェイトバー押さえ１０に、ネジを使用することなく、弾性的に嵌合するようにしてもよい。
・サポートパイプ４を回転不能に支持してもよい。また、回転不能に支持したサポートパイプ４にスクリーン５の端部を直接取着してもよい。
・スクリーン５は、遮光部と半透過部を具備しない一様な遮光性を備えた生地としてもよい。
【符号の説明】
【００３０】
２ａ，２ｂ…支持ブラケット、３…巻取軸、４…サポートパイプ、５…スクリーン、８ａ…遮光部、８ｂ…半透過部、９…保持部材（ウェイトバー）、１１…ボトムレール、１７…ボトムパイプ。
【図１】
2011132788.tif 000003
【図２】
2011132788.tif 000004
【図３】
2011132788.tif 000005
【図４】
2011132788.tif 000006
【図５】
2011132788.tif 000007
【図６】
2011132788.tif 000008
【図７】
2011132788.tif 000009
【図８】
2011132788.tif 000010
【図９】
2011132788.tif 000011